(57)【要約】【課題】可撓性の情報記録媒体をセンターコアに固定する際に情報記録媒体の外周側にあるデータ領域に歪みが発生するのを防止する。【解決手段】接着部材１１を用いてセンターコア１０の回転軸ＣＬに垂直な上面１０ａに固定された情報記録媒体５の上面１０ａの領域内に、切込み５Ｃが複数形成されている。【選択図】  図３
2004342250.tif 000002
【特許請求の範囲】
【請求項１】
扁平なハウジング内に中心部がセンターコアに固定された可撓性を有するディスク状の情報記録媒体を回転自在に収容してなるディスクカートリッジにおいて、
前記情報記録媒体が、接着部材を用いて前記センターコアの回転軸に垂直な上面に固定されているものであり、
前記情報記録媒体の前記上面の領域内に、切込みが複数形成されていることを特徴とするディスクカートリッジ。
【請求項２】
前記複数の切込みが、前記情報記録媒体の円周方向に等間隔に形成されているものであることを特徴とする請求項１に記載のディスクカートリッジ。
【請求項３】
前記複数の切込みが、前記情報記録媒体の中心部に対して対称になるように形成されているものであることを特徴とする請求項１に記載のディスクカートリッジ。
【請求項４】
前記複数の切込みが、前記情報記録媒体の径方向に延びたものであることを特徴とする請求項１から３のいずれ１項に記載のディスクカートリッジ。
【請求項５】
前記複数の切込みが、前記情報記録媒体の内周から外方に向かって先細りになるような幅を有する切欠きであることを特徴とする請求項１から４のいずれか１項に記載のディスクカートリッジ。
【発明の詳細な説明】
【０００１】
【発明の属する技術分野】
本発明は、可撓性を有するディスク状の情報記録媒体を備えたディスクカートリッジに関するものであり、特に、センターコアに接着部材を用いて固定される情報記録媒体の構造に関するものである。
【０００２】
【従来の技術】
従来、デジタルカメラ等のモバイル機器においては、記録媒体としてたとえば「ｃｌｉｋ！（登録商標）」や「Ｐｏｃｋｅｔ  Ｚｉｐ（登録商標）」と呼ばれる超小型の磁気ディスクカートリッジが使用されている（たとえば特許文献１、２参照。）。このディスクカートリッジは、たとえば幅５０ｍｍ、奥行き５５ｍｍ、厚さ１．９５ｍｍの扁平な金属薄板からなる上下シェル３、４を備えたハウジング内に、４０ＭＢの記憶容量を有する直径約１．８インチ（４６．５ｍｍ）の磁気ディスクからなる情報記録媒体を回転自在に収容したものである。
【０００３】
上述した磁気ディスクのような情報記録媒体は、たとえばプラスチックフィルムに磁性材を塗布したものであり、可撓性を有するものである。このような情報記録媒体は、中心部が金属等からなるセンターコアに固定された状態においてハウジング内に収容されており、ディスクドライブはセンターコアを回転させることにより、情報記録媒体を回転させるようになっている。
【０００４】
この情報記録媒体は、回転軸に垂直なセンターコアの上面にたとえばアクリル系の接着剤を塗布しもしくは両面テープを貼り付けた後、その接着剤等の上に情報記録媒体を貼り付けることにより、センターコアに固定されている。
【０００５】
【特許文献１】
米国特許第６１３３５４４号明細書
【０００６】
【特許文献２】
米国特許第５９９５３４６号明細書
【０００７】
【発明が解決しようとする課題】
しかし、情報記録媒体がセンターコアに貼り付けられる際に、可撓性を有する情報記録媒体において歪みが生じ、メディア特性の低下を生じてしまうという問題がある。つまり、情報記録媒体が貼り付けられる面には、センターコアと接着剤等との間に混入した気泡、センターコアの上面の表面粗さ、接着剤等の表面粗さ等により凹凸が形成されている。このため、凹凸を有する接着剤等の上に情報記録媒体を貼り付けたとき、情報記録媒体の上面の領域内において歪みが発生する。さらに、この歪みは情報記録媒体のセンターコアの上面内の領域から外周側のデータ領域に向かって伝播し、面振れ特性が劣化する等のメディア特性の低下を生じるという問題がある。
【０００８】
そこで、本発明は、可撓性を有する情報記録媒体をセンターコアに固定する際に、情報記録媒体のデータ領域に歪みが発生するのを防止することができる情報記録媒体を提供することを目的とするものである。
【０００９】
【課題を解決するための手段】
本発明のディスクカートリッジは、扁平なハウジング内に可撓性を有するディスク状の情報記録媒体をセンターコアに固定し、回転自在に収容してなるディスクカートリッジにおいて、情報記録媒体が、接着部材を用いてセンターコアの回転軸に垂直な上面に固定されているものであり、情報記録媒体の上面の領域内に、切込みが複数形成されていることを特徴とするものである。
【００１０】
ここで、「センターコア」とは、たとえば金属製の情報記録媒体の中心部に固定されたものであって、ディスクドライブが情報記録媒体を回転させるために保持する部位である。
【００１１】
また、「切込み」は、情報記録媒体の上面の領域内に歪みの発生、伝播を防止するように形成されているものであれば長さ、形状など特に限定されないもので、たとえば情報記録媒体の径方向に延びたものであってもよいし、径方向から所定の角度だけ傾いた方向に延びたものであってもよい。
【００１２】
さらに、「切込み」は、上記目的で複数形成されていればその配置はいかなるものでもよく、たとえば情報記録媒体の円周方向に等間隔に形成されているものであってもよいし、情報記録媒体の中心部に対して対称になるように形成されているものであってもよい。
【００１３】
また、複数の切込みは、幅のないものであってもよいし、幅を有する切欠きであってもよく、特に、情報記録媒体の内周から外方に向かって先細りになるような幅を有する切欠きであってもよい。
【００１４】
【発明の効果】
本発明のディスクカートリッジによれば、情報記録媒体の上面の領域内に、切込みが複数形成されていることにより、表面に凹凸が形成された接着部材に情報記録媒体を貼り付けた際、情報記録媒体に生じる歪みを切込みが吸収して情報記録媒体の外方に伝播するのを防止することができるため、メディア特性の低下を低減することができる。
【００１５】
なお、複数の切込みが、情報記録媒体の円周方向に等間隔に形成されているものであれば、情報記録媒体が回転した際の回転バランスを安定させることができる。
【００１６】
また、複数の切込みが、情報記録媒体の中心部に対して対称になるように形成すれば、情報記録媒体が回転した際の回転バランスを安定させることができる。
【００１７】
さらに、複数の切込みが、半径方向に延びた構成にすれば、情報記録媒体の上面の領域に生じた歪みを効率的に吸収して外方に伝播するのを防止することができる。
【００１８】
また、複数の切込みが、情報記録媒体の内周から外方に向かって先細りになるような幅を有する切欠きであるようにすれば、貼付強度を保持しつつ切欠きにより歪みをより吸収させることができる。
【００１９】
【発明の実施の形態】
以下、本発明のディスクカートリッジの実施の形態について、図面を参照して詳細に説明する。図１と図２は本発明のディスクカートリッジが用いられるディスクカートリッジの一例を示す図である。なお、図１（ａ）、（ｂ）、（ｃ）にそのロータリシャッタ７が閉状態にある平面図、側面図および底面図を、図２（ａ）、（ｂ）にロータリシャッタ７が開状態にある平面図および底面図をそれぞれ示している。
【００２０】
このディスクカートリッジ１は、押込み部２ａを含む樹脂製の通常スタビライザと呼ばれるフレーム２と、金属薄板からなる上下シェル３、４とによって構成された、幅５０ｍｍ、奥行き５５ｍｍ、厚さ１．９５ｍｍの扁平なハウジング内に、４０ＭＢの記憶容量を有する直径約１．８インチ（４６．５ｍｍ）のディスク状の情報記録媒体５を回転自在に収容したものである。
【００２１】
また、ハウジングは、ディスクドライブの磁気ヘッドを情報記録媒体５の表面にアクセスさせるためのＶ字状の開口部６と、この開口部６を開閉するためのロータリシャッタ７とを備えている。そして、ディスクドライブが情報記録媒体５に対して情報の記録再生を行うときには、ロータリシャッタ７が開き、開口部６から磁気ヘッドが挿入されるようになっている。一方、ディスクドライブから取り出されたときに開口部６から埃等が入り込まないようにするため、ロータリシャッタ７が閉じて開口部６を塞ぐようになっている。
【００２２】
さらに、ハウジングの下シェル４には、情報記録媒体５のセンターコア１０を外部に臨ませる円形の中心孔４ａと、ロータリシャッタ７と同心的な円弧状溝４ｂとが形成され、ロータリシャッタ７には、上記円弧状溝４ｂから突出し、かつこの円弧状溝４ｂに沿って移動してロータリシャッタ７を開閉するシャッタノブ７ｂが固設されている。そして、ディスクカートリッジ１がディスクドライブに装填されたときに、ディスクドライブの回転駆動源が中心孔４ａから露出したセンターコア１０を保持し、情報記録媒体５を回転駆動させるようになっている。
【００２３】
図３は本発明のディスクカートリッジにおけるセンターコア１０の周辺部位を示す模式図である。なお、図３（ａ）はセンターコア１０の周辺部位の断面図、図３（ｂ）はセンターコア１０の周辺部位の上面図を示している。図３において情報記録媒体５は、たとえばプラスチックフィルムに磁性材を塗布した磁気ディスクであって可撓性を有している。この情報記録媒体５の中心部ＣＬは、たとえばアクリル系の接着剤や、ポリエチレンテレフタレート（ＰＥＴ）もしくは不織布を基材とする両面テープ等の接着部材１１を用いてセンターコア１０に固定されている。
【００２４】
具体的には、センターコア１０には回転軸に垂直な上面１０ａが略円形状に形成されており、上面１０ａの略全周にわたり接着部材１１が設けられている。そして、情報記録媒体５の中心部ＣＬがセンターコア１０の回転軸に合うように、情報記録媒体５がセンターコア１０上に貼り付けられて、センターコア１０の上面１０ａの領域内において接着部材１１を用いてセンターコア１０に固定された状態になっている。
【００２５】
この情報記録媒体５の上面１０ａの領域内には、複数の切込み５Ｃが形成されている。複数の切込み５Ｃは、たとえば円周方向に等間隔に形成されており、図３（ｂ）においては４つの切込み５Ｃが９０度ずつ位相のずれた状態で形成されている。
【００２６】
この複数の切込み５Ｃは、たとえば図４に示すような切込み形成装置５０により形成される。図４の切込み形成装置５０は、位置決め治具５１とスリット治具５２とを有しており、位置決め治具５１は、情報記録媒体５に形成された中心孔に挿入して位置決めを行うための軸５１ａを有している。一方、スリット治具５２には、複数の切込み５Ｃを形成するための複数の切り刃５２ａと位置決め治具の軸に挿入される穴５２ｂとを有している。そして、情報記録媒体５を位置決め治具５１に装着し、情報記録媒体５を位置決め治具５１とスリット治具５２との間に挟むことにより、複数の切込み５Ｃが形成されるようになっている。
【００２７】
図３に示すように上面１０ａの領域内に複数の切込み５Ｃを形成することにより、表面に凹凸が形成された接着部材１１に情報記録媒体５を貼り付けた際、情報記録媒体５に生じる歪みを切込み５Ｃが吸収して情報記録媒体５の外方に伝播するのを防止し、メディア特性の低下を低減することができる。つまり、センターコア１０と接着部材１１との間に混入した気泡、上面１０ａの表面粗さ、もしくは接着部材１１自身の表面粗さ等により、情報記録媒体５の貼り付け面には凹凸が形成されている。複数の切込み５ｃを形成せずに可撓性を有する情報記録媒体５を接着部材１１上に貼り付けたとき、上面１０ａの領域内において歪みが発生する。この歪みは、図５に示すように、上面１０ａの領域内のみならず外方にあるデータ領域にまで伝播し、情報記録媒体５のデータ領域まで歪みが発生してしまう。
【００２８】
一方、情報記録媒体５に複数の切込み５Ｃを形成することにより、接着部材１１の貼り付け面に形成された凹凸による歪みが複数の切込み５Ｃにおいて吸収されて、情報記録媒体５の外方まで伝播するのを防止することができる。
【００２９】
なお、複数の切込み５Ｃは、情報記録媒体５の上面１０ａの領域内に設けられていればよいが、特に、複数の切込み５Ｃの端部がセンターコア１０の接触径Ｄ１に対して略２／３以内にくるように形成されるのが好ましい。これにより、ディスクカートリッジ１が使用されるにつれて切込み５Ｃが上面１０ａから外方に向かって拡大していくのを防止することができるため、ディスクカートリッジ１の安定性を担保することができる。
【００３０】
また、図３の複数の切込み５Ｃは、幅のないものについて例示しているが、幅を有する切欠き（スリット）であってもよい。特に、図６に示すような、複数の切込み１５Ｃが、情報記録媒体５の内周から外方に向かって先細りになるような幅を有する切欠きであるようにすれば、貼付強度を確保しつつ切欠きにより歪みをより吸収させることができる。さらに、図３および図６において、複数の切込み５Ｃが径方向に沿って等間隔に形成されている場合について例示しているが、図７に示すように、情報記録媒体５の中心部ＣＬに対して対称になるように複数の切込み５Ｃが形成されている場合であっても、情報記録媒体５が回転した際の回転バランスを安定させることができる。
【００３１】
上記実施の形態によれば、情報記録媒体５の上面１０ａの領域内に、切込み５Ｃが複数形成されていることにより、表面に凹凸が形成された接着部材１１に情報記録媒体５を貼り付けた際、情報記録媒体５に生じる歪みを切込み５Ｃが吸収して情報記録媒体５の外方に伝播するのを防止することができるため、メディア特性の低下を低減することができる。
【００３２】
また、複数の切込み５Ｃが、情報記録媒体５の円周方向に等間隔に形成されているものであれば、情報記録媒体５が回転した際の回転バランスを安定させることができる。
【００３３】
また、複数の切込み５Ｃが、半径方向に延びた構成にすれば、情報記録媒体５の上面１０ａの領域内に生じた歪みを効率的に吸収して外方に伝播するのを防止することができる。
【００３４】
本発明の実施の形態は、上記実施の形態に限定されない。たとえば、上記実施の形態において、情報記録媒体はたとえば磁気ディスク等であってもよいし、可撓性を有する光ディスクもしくは光磁気ディスク等について用いることができる。
【００３５】
また、図３（ｂ）において、切込み５Ｃが４つ形成されている場合について例示しているがそれに限定されず２つ以上であればよく、切込み５Ｃの数は回転バランスおよび貼付強度の確保等の観点から好ましくは２本〜８本形成されていてもよい。
【００３６】
また、図３（ｂ）において、複数の切込み５Ｃが円周に沿って等間隔で形成されている場合について例示しているが、図７に示すように、情報記録媒体５の中心部ＣＬに対して対称となるように形成するようにしてもよい。この場合であっても、情報記録媒体５が回転した際の回転バランスを安定させることができる。
【００３７】
さらに、図３（ｂ）において、複数の切込み５Ｃは情報記録媒体５の中心部ＣＬから径方向に向かって形成されているが、情報記録媒体５の中心部ＣＬから所定の角度だけ傾けて渦巻き状に形成するようにしてもよいし、複数の切込み５Ｃを略円弧状に設けてもよい。
【００３８】
また、図３（ｂ）において、情報記録媒体５が接着部材を用いて上面１０ａの全周にわたってセンターコア１０に固定されている場合について例示しているが、上面１０ａの一部に接着部材１１を設けて情報記録媒体５をセンターコア１０に固定するようにしてもよい。
【図面の簡単な説明】
【図１】本発明のディスクカートリッジの好ましい実施の形態におけるロータリシャッタが閉状態にある状態を示す平面図および底面図
【図２】本発明のディスクカートリッジの好ましい実施の形態におけるロータリシャッタが開状態にある状態を示す平面図および底面図
【図３】本発明のディスクカートリッジにおける情報記録媒体を示す模式図
【図４】本発明のディスクカートリッジにおける情報記録媒体の複数の切込みを形成する際に用いられる切込形成装置の一例を示す模式図
【図５】可撓性を有する情報記録媒体において歪みが外周側に伝播する様子を示す模式図
【図６】本発明のディスクカートリッジにおける情報記録媒体の切込みの別の形態を示す平面図
【図７】本発明のディスクカートリッジにおける情報記録媒体の切込みの別の形態を示す平面図
【符号の説明】
１    ディスクカートリッジ
５    情報記録媒体
１０  センターコア
１０ａ        上面
１１  接着部材
ＣＬ  中心部
【図１】
2004342250.tif 000003
【図２】
2004342250.tif 000004
【図３】
2004342250.tif 000005
【図４】
2004342250.tif 000006
【図５】
2004342250.tif 000007
【図６】
2004342250.tif 000008
【図７】
2004342250.tif 000009